(57)【要約】【課題】電源装置が出力する複数の異なる電圧に対応可能であり、これらの電圧のいずれをも電気機器に出力し得るアクセス装置を提供する。【解決手段】第１のインターフェースと、第２のインターフェースと、処理回路を有し、この処理回路１０は、第１の設定電圧と第２の設定信号が対応すると判断したとき、第１の設定電圧を第１のインターフェース１１に出力し、或いは第２の設定電圧と第２の設定信号が対応すると判断したとき、第２の設定電圧を第２のインターフェース１２に出力する。【選択図】図２
2017191606.tif 000002
【特許請求の範囲】
【請求項１】
急速充電規格に適合し、互いに異なる第１の設定電圧と第２の設定電圧を出力可能な電源装置５に接続して用いられるアクセス装置１において、
該電源装置５と電気的に接続するための第１のインターフェース１１と、第２のインターフェース１２と、
該第１のインターフェース１１及び該第２のインターフェース１２と電気的に接続される処理回路１０とを備え、
該処理回路１０は、該電源装置５が該第１の設定電圧又は該第２の設定電圧を出力するように、該第１のインターフェース１１を介して該第１の設定電圧に対応する第１の電圧信号又は該第２の設定電圧に対応する第２の電圧信号を電源装置５に出力し、
該電源装置５は、
該第１の電圧信号に基づいて該第１の設定電圧を該第１のインターフェース１１に出力し、或いは、該第２の電圧信号に基づいて該第２の設定電圧を該第1のインターフェース１１に出力し、
且つ、
該処理回路１０は、
該第１のインターフェースを介して入力された該第１の設定電圧と、該第１の電圧信号に関連付けられた第１の設定信号とが対応すると判断したとき、該第１の設定電圧を該第２のインターフェース１２に出力し、或いは該第１のインターフェースを介して入力された該第２の設定電圧と、該第２の電圧信号に関連付けられた第２の設定信号とが対応すると判断したとき、該第２の設定電圧を該第２のインターフェース１２に出力することを特徴とするアクセス装置。
【請求項２】
該処理回路１０と電気的に接続されると共に、該電源装置５の温度を検知し、且つ温度検知信号を該処理回路１０に出力し、該処理回路１０が、該温度検知信号に基づいて、該電源装置５の温度が異常であると判断したときは、該設定電圧を該第２のインターフェース１２に出力するのを停止させる温度検知モジュール１４と、
該処理回路１０に電気的に接続されると共に、該処理回路１０が該電源装置５の温度が異常であると判断したときに、異常状態であることを表す異常提示信号を生成させる提示モジュール１３と、を備えたことを特徴とする請求項１に記載のアクセス装置。
【請求項３】
該処理回路１０に電気的に接続されると共に、該処理回路１０が該第１の設定電圧と該第１の設定信号が対応していない或いは該第２の設定電圧が該第２の設定信号と対応していないと判断したときは、異常状態であることを表す異常提示信号を生成させる提示モジュール１３を備えたことを特徴とする請求項１に記載のアクセス装置。
【請求項４】
該処理回路１０及び該第１のインターフェース１１に電気的に接続され、該電源装置５が出力する該第１の設定電圧或いは該第２の設定電圧を検知するために用いられる電圧検知モジュール１５と、
該処理回路１０に電気的に接続されると共に、異常状態であることを表す異常提示信号を生成する提示モジュール１３とを備え、
該電圧検知モジュール１５は、該処理回路１０に電圧検知信号を出力し、
該処理回路１０が、該第１の設定信号及び該電圧検知信号に基づいて、該第1の設定電圧が対応する安全範囲内であるか否か判断し、或いは該第２の設定信号及び該電圧検知信号に基づいて、該第２の設定電圧が対応する安全範囲内か否か判断し、
該処理回路１０が該第１の設定電圧或いは該第２の設定電圧が対応する該安全範囲内ではないと判断したとき、
該提示モジュール１３は該異常提示信号を生成することを特徴とする請求項１に記載のアクセス装置。
【請求項５】
該処理回路１０は、制御ユニット２０、該制御ユニット２０に電気的に接続された電圧調節回路２１、アクセスモジュール２２、切換回路２３、及びスイッチ回路２４を備え、
該電圧調節回路２１は該電源装置５が出力した電圧に基づいて、該制御ユニット２０及び該切換回路２３に電圧源を供給し、
該アクセスモジュール２２は、該制御ユニット２０と該第１のインターフェース１１の間に電気的に接続され、該切換回路２３は該第1の設定信号及び該第２の設定信号を生成し、該スイッチ回路２４は該制御ユニット２０、該第1のインターフェース１１、及び該第２のインターフェース１２に電気的に接続されると共に、該第１のインターフェース１１から該第１の設定電圧或いは該第２の設定電圧が入力され、
該制御ユニット２０が該第１の設定信号を受信したとき、該制御ユニット２０は、該アクセスモジュール２２に該第１の電圧信号を該第１のインターフェース１１に出力させ、該電源装置５に、該第１の電圧信号に基づいた該第１の設定電圧を出力させ、
該制御ユニット２０が該第２の設定信号を受信したとき、該制御ユニット２０は、該アクセスモジュール２２に該第２の電圧信号を該第１のインターフェース１１に出力させ、該電源装置５に、該第２の電圧信号に基づいた該第２の設定電圧を出力させ、
該制御ユニット２０が、該第１の設定電圧と該第１の設定信号が対応していると判断したとき、或いは該第２の設定電圧と該第２の設定信号が対応していると判断したとき、該スイッチ回路２４に、該第１の設定電圧或いは該第２の設定電圧を該第２のインターフェース１２に出力させることを特徴とする請求項１に記載のアクセス装置。
【請求項６】
該第１のインターフェース１１はＵＳＢコネクタであり、該第２のインターフェース１２は直流電源のコネクタであり、且つ該処理回路１０は、ＵＳＢコネクタの給電端子及び接地端子間に接続される抵抗を含み、該電源装置５に、該給電端子から該抵抗を介して電流を出力させることにより、該電源装置５が電力を出力するのを停止するスリープモードに入らないようにすることを特徴とする請求項５に記載のアクセス装置。
【請求項７】
該処理回路１０は該制御ユニット２０及び該第１のインターフェース１１に電気的に接続されたウェイクアップモジュール１６を備え、該制御ユニット２０は、所定の時間毎に該ウェイクアップモジュール１６を制御して作動させ、該電源装置５は定期的に該第１のインターフェース１１を介して該ウェイクアップモジュール１６に電流を出力し、該電源装置５が電力を出力するのを停止するスリープモードに入らないようにすることを特徴とする請求項５に記載のアクセス装置。
【請求項８】
該処理回路１０は、マイクロプロセッサ７１及び該マイクロプロセッサ７１に電気的に接続された電圧調節回路２１’、切換回路２３、スイッチ回路２４、並びに該マイクロプロセッサ７１と該第１のインターフェース１１の間に電気的に接続された選択回路７３１を備え、
該電圧調節回路２１’は該電源装置５が出力する電圧に基づいて電圧源を生成して該マイクロプロセッサ７１及び該切換回路２３に供給し、
該スイッチ回路２４は該第１のインターフェース１１及び該第２のインターフェース１２と電気的に接続され、且つ該第１のインターフェースから該第１の設定電圧或いは該第２の設定電圧が入力されると共に、
該マイクロプロセッサ７１は、該切換回路２３が生成した該第１の設定信号或いは該第２の設定信号に基づいて、該選択回路７３１に該第１の電圧信号或いは該第２の電圧信号を該第１のインターフェース１１に出力させ、
該電源装置５は、該第１の電圧信号或いは該第２の電圧信号に基づいて該第１の設定電圧或いは該第２の設定電圧を対応するように出力し、
該マイクロプロセッサ７１が、該第１の設定電圧と該第１の設定信号が対応すると判断したとき、或いは該第２の設定電圧と該第２の設定信号が対応すると判断したときは、該スイッチ回路２３に該第１の設定電圧或いは該第２の設定電圧を第２のインターフェース１２に出力させることを特徴とする請求項１に記載のアクセス装置。
【請求項９】
該処理回路１０は、該マイクロプロセッサ７１と電気的に接続された記録インターフェース７２を備え、該記録インターフェース７２は外部のホストコンピューターと電気的に接続することができ、
該外部のホストコンピューターは、該記録インターフェース７２を介して該マイクロプロセッサ７１に記録データを書き込むことができることを特徴とする請求項８に記載のアクセス装置。
【請求項１０】
該処理回路１０は、該選択回路７３１と該第１のインターフェース１１の間に電気的に接続されていて該第１のインターフェース１１へ電流が逆流することを防止するダイオード７３２を備えることを特徴とする請求項８に記載のアクセス装置。
【請求項１１】
急速充電規格に適合し、それぞれ異なる第１の設定電圧と第２の設定電圧を出力可能な電源装置５に接続するためのアクセス装置１において、
該アクセス装置１は処理回路１０と、該電源装置５と電気的に接続するための第１のインターフェース１１と、第２のインターフェース１２とを有し、該処理回路１０は、該第１のインターフェース１１及び該第２のインターフェース１２と電気的に接続されると共に、
該処理回路１０は、
該第１のインターフェース１１を介して第1の電圧信号を該電源装置５に出力し、
該電源装置５は、該第１の電圧信号に基づいて、該第１の設定電圧を該第１のインターフェース１１に出力し、
該処理回路１０は、該第１の電圧信号に関連付けられた第１の設定信号に基づいて、該第１の設定電圧と該第１の設定信号が対応すると判断したとき、該第１の設定電圧を該第２のインターフェースに出力し、
並びに、
該処理回路１０は、該第１のインターフェース１１を介して第２の電圧信号を該電源装置５に出力し、
該電源装置は、該第２の電圧信号に基づいて、該第２の設定電圧を該第１のインターフェース１１に出力し、
該処理回路１０は、該第２の電圧信号に関連付けられた第２の設定信号に基づいて、該第２の設定電圧と該第２の設定信号が対応すると判断したとき、該第２の設定電圧を該第２のインターフェースに出力することを特徴とするアクセス装置。
【請求項１２】
該処理回路１０は、制御ユニット２０、該制御ユニット２０に電気的に接続された電圧調節回路２０、アクセスモジュール２２、切換回路２３、及びスイッチ回路２４を備え、
該電圧調節回路２０は該電源装置５が出力した電圧に基づいて、該制御ユニット２０及び該切換回路２３に電圧源を供給し、
該アクセスモジュール２２は、該第1のインターフェース１１に電気的に接続され、該切換回路２３は該第1の設定信号或いは該第２の設定信号を生成し、
該スイッチ回路２４は該制御ユニット２０、該第1のインターフェース１１、及び該第２のインターフェースに電気的に接続されると共に、該第1のインターフェース１１から該第１の設定電圧或いは該第２の設定電圧が入力され、
該制御ユニット２０が、該第１の設定電圧と該第１の設定信号が対応していると判断したとき、或いは該第２の設定電圧と該第２の設定信号が対応していると判断したとき、該スイッチ回路に、該第１の設定電圧或いは第２の設定電圧を該第２のインターフェース１２に出力させることを特徴とする請求項１１に記載のアクセス装置。
【請求項１３】
該アクセスモジュール２２は、該第１のインターフェース１１と電気的に接続された駆動制御器２２１を備え、且つ該駆動制御器２２１は、２つの抵抗（Ｒ２、Ｒ３）の両方と電気的に接続されたときに、該第１のインターフェース１１を介して、該第１の電圧信号を該電源装置５に出力し、該駆動制御器２２１は、該２つの抵抗（Ｒ２、Ｒ３）のいずれかと電気的接続されたとき、該第１のインターフェース１１を介して該第２の電圧信号を該電源装置５に出力することを特徴とする請求項１２に記載のアクセス装置。
【発明の詳細な説明】
【技術分野】
【０００１】
本発明はアクセス装置に関し、特に、電源機器の出力を外部に取得するように用いられるアクセス装置に関する。
【背景技術】
【０００２】
既に知られている急速充電の規格（例えばＱＣ２．０）は、充電機器に広く用いられている。充電機器は、急速充電規格の充電電源及び被充電電源に適合させるべく、例えば、５Ｖ、９Ｖ、若しくは１２Ｖの電圧を生成するための携帯電源が従来より使われている。携帯電源の例としては携帯電話の充電電池が挙げられるが、必要に応じて上述の５Ｖ、９Ｖ、若しくは１２Ｖのいずれかの電圧をアクセス装置を使って取得して例えば充電電池に充電が行なわれる。
【先行技術文献】
【特許文献】
【０００３】
【特許文献１】台湾特許出願公開第１０５１１１７５６号明細書
【特許文献２】台湾特許出願公開第１０５１３６２１０号明細書
【発明の概要】
【発明が解決しようとする課題】
【０００４】
現在の急速充電の規格のアクセス装置製品は、充電用途のために単一の電圧出力を取得するように単一の電圧にのみ対応する規格のものを出荷するものが多いが、多出力の電源装置から必要によって複数の電圧を選択的に外部に出力することができない不都合がある。
【０００５】
このような問題に鑑みて、本発明は電源装置が出力する複数の異なる電圧に対応可能であり、これらの電圧のいずれをも電気機器に出力し得るアクセス装置を提供することを目的とする。
【課題を解決するための手段】
【０００６】
本発明はこのような課題を解決するため、急速充電規格に適合し、予めセットされた互いに異なる第１の設定電圧と第２の設定電圧を出力可能な電源装置５に接続して用いられるアクセス装置１において、該電源装置５と電気的に接続するための第１のインターフェース１１と、第２のインターフェース１２と、該第１のインターフェース１１及び該第２のインターフェース１２と電気的に接続される処理回路１０とを備え、該処理回路１０は、該電源装置５が該第１の設定電圧又は該第２の設定電圧を出力するように、該第１のインターフェース１１を介して該第１の設定電圧に対応する第１の電圧信号又は該第２の設定電圧に対応する第２の電圧信号を電源装置５に出力し、該電源装置５は、該第１の電圧信号に基づいて該第１の設定電圧を該第１のインターフェース１１に出力し、或いは、該第２の電圧信号に基づいて該第２の設定電圧を該第1のインターフェース１１に出力し、且つ、該処理回路１０は、該第１のインターフェースを介して入力された該第１の設定電圧と、該第１の電圧信号に関連付けられた第１の設定信号とが対応すると判断したとき、該第１の設定電圧を該第２のインターフェース１２に出力し、或いは該第１のインターフェースを介して入力された該第２の設定電圧と、該第２の電圧信号に関連付けられた第２の設定信号とが対応すると判断したとき、該第２の設定電圧を該第２のインターフェース１２に出力する。
【発明の効果】
【０００７】
本発明は電源機器が出力する複数の異なる電圧に対応可能であり、これらの電圧のいずれをも電気機器に出力し得るアクセス装置を提供することができる。
【図面の簡単な説明】
【０００８】
【図１】本発明のアクセス装置の外観図である。
【図２】本発明のアクセス装置の第１の実施例の回路ブロック図である。
【図３】本発明のアクセス装置の他の外観図である。
【図４】第１の実施例の処理回路の詳細な回路ブロック図である。
【図５】第１の実施例の処理回路の詳細な回路図である。
【図６】本発明のアクセス装置の第２の実施例の処理回路の詳細な回路図である。
【図７】本発明の第２の実施例のフローチャートである。
【図８】本発明のアクセス装置の第３の実施例の処理回路の詳細な回路図である。
【発明を実施するための形態】
【０００９】
（第１の実施例）
図１、図２を参照して本発明の第１の実施例を説明する。図１はアクセス装置の外観図であり、図２は回路ブロック図である。アクセスシステム１００は、互いに電気的に接続されたアクセス装置１、例えば携帯電話、電熱装置等の電気機器３及び電源装置５等を備える。アクセス装置１は電気機器３と電源装置５の間に設けられる。本実施例において、アクセス装置１は、複数の出力可能な電圧の中から任意の電圧に切り換えて出力できるように、電源装置５と電気機器３との間に接続して用いられる接続装置である。
【００１０】
アクセス装置１は電源装置５と電気的に接続され、電力を取得する第１のインターフェース１１と、電気機器３と電気的に接続され、電力を出力する第２のインターフェース１２と、処理装置１０を備える。図１においては、第２のインターフェース１２は、直接アクセス装置１のアウターケースに設けられる。またこの図１の例に限られず、図３に示すように、アクセス装置１にケーブルを接続して第２のインターフェース１２をこのケーブルのアクセス装置１とは反対側の端部に接続しても差し支えない。電源装置５は、例えば急速充電の規格（例えばＱＣ２．０）の携帯電源若しくは交流と直流の変換装置である。
【００１１】
本実施例において、電気機器３は例えば９Ｖの第１の電熱装置３１及び例えば１２Ｖの第２の電熱装置３２を備える。電源装置５は複数の設定電圧（例えば、５Ｖ、９Ｖ、１２Ｖ）のうちの所定の電圧を出力可能であり、電気機器３が必要とする電圧に合わせて設定電圧を供給する。
【００１２】
電源装置５は、アクセス装置１を介して第１の電熱装置３１に接続されたとき、第１の電熱装置３１が必要とする電圧に応じて、出力可能な設定電圧の中から例えば９Ｖである予め定められた第１の設定電圧を第１の電熱装置３１に出力する。
【００１３】
同様に、電源装置５は、アクセス装置１を介して第２の電熱装置３２に接続されたとき、第２の電熱装置３２が必要とする電圧に応じて、出力可能な設定電圧の中から第２の設定電圧を第２の電熱装置３２に出力する。第１の電熱装置３１、第２の電熱装置３２は例えば電熱ウエア、電気毛布、若しくは電熱靴等であっても良い。
【００１４】
電源装置５は、急速充電規格の交流を直流に変換する電源変換器５１（例えば、交流／直流変換器）を備え、商用の交流電源から入力された交流電圧を上述した第１の設定電圧（９Ｖ）及び第２設定電圧（１２Ｖ）に変換し、且つ電源変換器５１は、第１の設定電圧（９Ｖ）をアクセス装置１を介して第１の電熱装置３１に出力すると共に、第２の設定電圧（１２Ｖ）をアクセス装置１を介して第２の電熱装置３２に出力する。
【００１５】
或いは、電源装置５は、急速充電規格の充電電池装置５２（例えば携帯電源）を備え、且つ充電電池装置５２は、第１の設定電圧（９Ｖ）をアクセス装置１を介して第１の電熱装置３１に出力し、又は第２の設定電圧（１２Ｖ）をアクセス装置１を介して第２の電熱装置３２に出力する。
【００１６】
つづいて、図２、図４、図５を参照して、アクセス装置１について説明する。ここで、図４は第１の実施例の処理回路の詳細な回路ブロック図であり、図５は処理回路の詳細な回路図である。アクセス装置１は、図２に示すように処理回路１０と、この処理回路１０に電気的に接続された第１のインターフェース１１と、第２のインターフェース１２と、提示モジュール１３と、温度検知モジュール１４と、電圧検知モジュール１５と、電圧調節回路２１を備えている。提示モジュール１３は、抵抗Ｒ１３と発光ダイオードを備えている。抵抗Ｒ１３は、一端には＋５Ｖがかかり、他端が発光ダイオードのアノードに接続されている。発光ダイオードはカソードがＩＯＢ０に接続されている。
【００１７】
図５に示すように、温度検知モジュール１４は、抵抗Ｒ１４とサーミスタＮＴＣとコンデンサＣ７を備える。抵抗Ｒ１４はその一端に＋５Ｖがかかり、他端が制御ユニット２０のＩＯＢ１に接続されている。コンデンサＣ７はその一端が抵抗Ｒ１４の他端に接続され、その他端が接地されている。サーミスタＮＴＣはコンデンサＣ７の一端に接続されている。
【００１８】
電圧検知モジュール１５は、抵抗Ｒ１５と、抵抗Ｒ１６と、コンデンサＣ８とを備えている。抵抗Ｒ１５の一端には電圧ＶＣＣがかかる。抵抗Ｒ１５の他端は並列に接続された抵抗Ｒ１６とコンデンサＣ８に接続されている。コンデンサＣ８の他端及び抵抗Ｒ１６の他端は接地されている。また、コンデンサＣ８の一端は制御ユニットＩＯＢ２に接続されている。
【００１９】
更に、電圧調節回路２１は三端子レギュレータ等に加えて、コンデンサＣ１、コンデンサＣ２、コンデンサＣ３を備える。コンデンサＣ１の第１の端子には電圧ＶＣＣがかかる。三端子レギュレータ（電圧を調整する素子）の入力端子には電圧ＶＣＣがかかり、グランド端子は接地されており、出力端子ＶＯＵＴはコンデンサＣ２及びコンデンサＣ３の第１の端子に接続され、これらのコンデンサＣ２とＣ３は並列に接続されており、他端が接地され、一端には＋５Ｖの電圧がかけられている。
【００２０】
本実施例において、第１のインターフェース１１はユニバーサルシリアルバスの仕様に適合したＵＳＢコネクタであり、図５に示すように、ＶＢＵＳ端子、Ｄ＋端子、Ｄ−端子、及びＧＮＤ端子を備え、電源装置５と電気的に接続するためのものである。
【００２１】
第２のインターフェース１２は直流電源接続器（ＤＣ  ｐｏｗｅｒ  ｊａｃｋ）であり、電気機器３と電気的に接続することができ、また、＋端子、−端子、Ｓ端子を備える。なお、第２のインターフェース１２の−端子は接地されており、Ｓ端子はオープンであり、＋端子については後述する。
【００２２】
処理回路１０は後述する第１の設定信号に基づいて、第１のインターフェース１１を介して第１の電圧信号を電源装置５に出力し、処理回路１０は、第１の電圧信号に基づいた第１の設定電圧（９Ｖ）を第１のインターフェース１１に出力し、或いは、後述する第２の設定信号に基づいた第２の電圧信号を、第１のインターフェース１１を介して電気機器３に出力し、第２の電圧信号に基づいて第２の設定電圧（１２Ｖ）を第１のインターフェース１１に出力し、且つ処理回路１０は第１の設定電圧と第１の設定信号が対応していると判断したとき、第１の設定電圧を第２のインターフェース１２に出力して電気機器３に供給し、そうでなければ、第１の設定電圧は第２のインターフェース１２に出力されず、或いは、処理回路１０が第２の設定電圧と第２の設定信号が対応していると判断したとき、第２の設定電圧を第２のインターフェース１２に出力し、電気機器３に供給し、そうでなければ第２の設定電圧は第２のインターフェース１２に出力されない。
【００２３】
具体的には、図４に示すとおり、処理回路１０は制御ユニット２０、電圧調節回路２１、アクセスモジュール２２、切換回路２３、及びスイッチ回路２４を備える。制御ユニット２０は提示モジュール１３、温度検知モジュール１４、電圧検知モジュール１５、切換回路２３に電気的に接続されている。また、図４の処理回路４では、接続線の記載を省略しているが、制御ユニット２０は電圧調節回路２１にも電気的に接続されている。更に、制御ユニット２０は、図４に示すようにアクセスモジュール２２に接続され、切換回路２３、及びスイッチ回路２４にもアクセスモジュール２２を介してそれぞれ接続されている。
図５に示すとおり、電圧調節回路２１と第１のインターフェース１１のＶＢＵＳ端子は電気的に接続され、電源装置５が出力する設定電圧ＶＣＣ（第１の設定電圧或いは第２の設定電圧）を取得する。所定の電圧ＶＣＣを５Ｖに調節し、制御ユニット２０及びその他の５Ｖを必要とする回路で使用できるように供給する。
【００２４】
アクセスモジュール２２は、制御ユニット２０と第１のインターフェース１１の間に接続され、切換回路２３で設定される第１の設定信号若しくは第２の設定信号に基づいて、電源装置５から対応する第１の設定電圧或いは第２の設定電圧を取得し、スイッチ回路２４を介して第１の設定電圧或いは第２の設定電圧は、第２のインターフェース１２に出力され、電気機器３にて使用できるよう供給される。
【００２５】
つまり、上述した切換回路２３のＩＯＡ２端子がハイ（＋５Ｖ）に接続される状態である第１の設定信号は第１の電圧信号と関連付けられており、且つこの第１の設定信号は、第１の電圧信号に基づいて電源装置５が出力する第１の設定電圧との対比対象となる。また、ＩＯＡ２端子がロウ（グランド電位）となる第２の設定信号は第２の電圧信号と関連付けられており、且つこの第２の設定信号は、第２の電圧信号に基づいて電源装置５が出力する第２の設定電圧との対比対象となる。
【００２６】
具体的には、図５に示すとおり、アクセスモジュール２２は所定の電圧を生成する定電圧生成回路６１、第１の分圧回路６２、第２の分圧回路６３、及び分圧制御回路６４を備える。電圧生成回路６１の抵抗Ｒ１の一端と第１のインターフェース１１におけるＶＢＵＳ端子は電気的に接続され、電源装置５が出力する設定電圧ＶＣＣ（第１の設定電圧或いは第２の設定電圧）が入力される。設定電圧は例えば５Ｖである。
【００２７】
第１の分圧回路６２は所定の電圧が入力されるように定電圧生成回路６１に電気的に接続され、出力端子（コンデンサＣ５の一端に接続されている）と第１のインターフェース１１のＤ−端子が電気的に接続されている。第１の分圧回路６２は所定の電圧に対して分圧を行い、抵抗Ｒ６と抵抗Ｒ７の抵抗値の比を調整することにより、例えばＤ−端子にかかる電圧が０．６Ｖの値になるようにして、電気的に接続されている第１のインターフェース１１のＤ−端子に入力する。
【００２８】
第２の分圧回路６３は所定の電圧が入力されるように定電圧生成回路６１に電気的に接続され、出力端子（コンデンサＣ６の一端に接続されている）と第１のインターフェース１１のＤ＋端子は電気的に接続されている。分圧制御回路６４は第２の分圧回路６３と電気的に接続され、制御ユニット２０によって制御される。
【００２９】
具体的には、分圧制御回路６４は制御ユニット２０のＩＯＡ０の端子に電気的に接続された一端を備える抵抗Ｒ１０を備え、第１のトランジスタＱ１のべースと抵抗Ｒ１０の他端は電気的に接続されている。
【００３０】
また、第１のトランジスタＱ１はコレクタが抵抗Ｒ９の一端に接続され、エミッタが接地されている。また、抵抗９の他端にはＶＣＣがかかる。一方、第２のトランジスタＭＡ１は、ゲートが抵抗Ｒ９の一端に接続され、ソースが抵抗Ｒ８を介して接地され、ドレインが第２の分圧回路におけるコンデンサＣ６の一端に接続されている。
【００３１】
切換回路２３は第１の端子が接地され、第２の端子が詳しくは後述する制御ユニット２０のＩＯＡ２端子に接続され、第３の端子に電圧調節回路２１にて生成された５Ｖがかかる。
【００３２】
図２に示すように、アクセス装置１と第１の電熱装置３１が電気的に接続され、第１の設定電圧（９Ｖ）が第１の電熱装置３１に供給されたとき、使用者は図４、図５の切換回路２３を操作することができ、切換回路２３の第２の端子と第３の端子を接続させる。第３の端子は＋５Ｖ（ハイ）となっているので、この＋５Ｖの第１の設定信号は制御ユニットのＩＯＡ２に入力されるが、このとき、ＩＯＡ０の端子からロウの信号が分圧制御回路６４の第１のトランジスタＱ１のベースに、抵抗Ｒ１０を介して入力されるが、信号がロウなので、第１のトランジスタＱ１はオフ（ＯＦＦ）となる。
【００３３】
第１のトランジスタＱ１がオフなので、コレクタとエミッタ間に電流は流れず、その結果、この第１のトランジスタＱ１のコレクタにゲートが接続された第２のトランジスタＭＡ１もオフとなる。また、第２のトランジスタＭＡ１がオフなので、抵抗Ｒ８は第２の分圧回路６３に電気的に接続されず、第２の分圧回路６３は所定の電圧に対して分圧を行なって（すなわち、抵抗Ｒ４とＲ５の抵抗値の比を調整することにより）、３．３Ｖの電圧を生成して第１のインターフェース１１のＤ＋端子に出力する。
【００３４】
また、ＱＣ２．０の急速充電規格に基づけば、電源装置５は第１のインターフェース１１のＤ−端子、Ｄ＋端子の電圧信号（両者をいずれも第１の電圧信号と称する）に基づいて、第１の設定電圧（９Ｖ）、或いは第２の設定電圧（１２Ｖ）を出力するよう決められている。
【００３５】
このため、電源装置５は第１のインターフェース１１を介して入力された第１の電圧信号（すなわち、第１のインターフェース１１のＤ−端子にかかる０．６Ｖの電圧、Ｄ＋端子にかかる３．３Ｖの電圧）を受信したとき、図４の電源装置５は第１の設定電圧（９Ｖ）を図５の第１のインターフェース１１の５Ｖの端子に対応するように出力し、第１の設定電圧（ＶＣＣ）を図５のスイッチ回路２４に出力させ、スイッチ回路２４を介して第２のインターフェース１２に出力して、図２の第１の電熱装置３１に出力する。
【００３６】
図２のように、アクセス装置１と第２の電熱装置３２が電気的に接続され、第２の設定電圧（１２Ｖ）を第２の電熱装置３２に供給することが必要なとき、利用者は、図５の切換回路２３を操作することができ、切換回路２３の第２の端子と接地された第１の端子を電気的に接続させる。第２の設定信号（ロウ）は、制御ユニット２０のＩＯＡ２の端子が切換回路２３の第２の端子に接続されることとなるので、ＩＯＡ２の端子は接地される。
【００３７】
このため、制御ユニット２０がＩＯＡ２の端子に第２の設定信号（ロウ）が入力されていると判断したときは、ＩＯＡ０の端子からハイの信号を分圧制御回路６４の第１のトランジスタＱ１のベースに出力する。このため、第１のトランジスタＱ１はコレクタとエミッタ間が導通する。そして、第２のトランジスタＭＡ１のゲートにも信号が入力されるので第２のトランジスタＭＡ１も導通（ＯＮ）となる。ドレイン−ソース間が導通するので、抵抗Ｒ８は第２の分圧回路６３と電気的に接続され、第２の分圧回路６３に所定の電圧に対して分圧を行なわせ（すなわち、抵抗Ｒ４と抵抗Ｒ８の抵抗値の比による。）第１のインターフェース１１のＤ＋端子に０．６Ｖの電圧が入力される。
【００３８】
ＱＣ２．０の急速充電の規格に基づけば、電源装置５が第１のインターフェース１１のＤ−端子に０．６Ｖの電圧をかけ、Ｄ＋端子に０．６Ｖの電圧がかかるとき（両者がいずれも第２の電圧信号のとき）、電源装置５は第２の設定電圧（１２Ｖ）を対応するように第１のインターフェース１１に出力する。第２の設定電圧（ＶＣＣ）をスイッチ回路２４に出力させ、スイッチ回路２４を介して第２のインターフェース１２に出力し、この電圧は図２の第２の電熱装置３２に入力される。
【００３９】
このため、本実施例のアクセス装置１は切換回路２３を操作することにより、電源装置５を制御することが可能であり、電源装置５は第１の設定電圧（９Ｖ）或いは第２の設定電圧（１２Ｖ）を電気機器３に出力できる。
【００４０】
ただし、本実施例において、図２のように、電圧検知モジュール１５は第１のインターフェース１１と処理回路１０を介して電気的に接続されており、電源装置５が出力した設定電圧ＶＣＣ（９Ｖ或いは１２Ｖ）を取得して検出することができる。また、電圧検知モジュール１５は、電圧検知信号を生成して制御ユニット２０に出力し、制御ユニット２０は切換回路２３の第１の設定信号（即ち、図５の制御ユニット２０のＩＯＡ２の端子には５Ｖの電圧がかかる）或いは第２の設定信号（即ち、図５の制御ユニット２０のＩＯＡ２の端子は接地されている）及び電圧検知モジュール１５が出力する電圧検知信号に基づいて、電源装置５が出力する設定電圧ＶＣＣが安全な範囲内か否か判断する。
【００４１】
例えば、９Ｖの設定電圧の場合には、その安全範囲は８．５Ｖ〜９．５Ｖであり、１２Ｖの設定電圧の場合には、その安全範囲は１１．５Ｖ〜１２．５Ｖである。このため、電源装置５が出力する設定電圧ＶＣＣが安全範囲内であるとき、制御ユニット２０は、ＩＯＡ１の端子を介してスイッチ回路２４を制御して、設定電圧ＶＣＣを第２のインターフェース１２に出力し、電気機器３に供給させ、提示モジュール１３にアクセスが正常に行なわれた旨の信号を生成させる。例えば提示モジュール１３は、上述のように発光ダイオードを備え、この発光ダイオードを点灯した状態に維持する。
【００４２】
制御ユニット２０は電圧検知信号に基づいて、電源装置５が出力する設定電圧ＶＣＣが安全範囲内にないとき、ＩＯＡ１の端子を介して、スイッチ回路２４が設定電圧ＶＣＣを第２のインターフェース１２に供給するのを停止するよう制御し、電気機器３への給電を停止させ、提示モジュール１３に電圧異常を表す異常提示信号を生成させ、例えば提示モジュール１３の発光ダイオードが継続して点滅するようにさせ、注意を喚起させる。このため、使用上の安全性が高まる。
【００４３】
本実施例の温度検知モジュール１４は、電源装置５の温度を検出して温度検知信号を生成するために用いられ、例えば、図４に示すとおり、温度検知モジュール１４のサーミスタ（ＮＴＣ）は、第１のインターフェース１１（ＵＳＢコネクタ）と接触させることができることにより、第１のインターフェース１１を介して電源装置５の温度を検出する。
【００４４】
このため、制御ユニット２０が温度検知信号に基づいて電源装置５の温度が異常であると判断したとき、ＩＯＡ１の端子を介してスイッチ回路２４が設定電圧ＶＣＣを第２のインターフェース１２に出力するのを停止するよう制御し、電気機器３への給電を停止させ、提示モジュール１３に温度が異常な状態である旨を示す異常提示信号を生成させ、例えば提示モジュール１３の発光ダイオードを継続して点滅させるようにして、注意を喚起する。
【００４５】
具体的には、図５に示すように、スイッチ回路２４は第３のトランジスタＱ２を備え、この第３のトランジスタＱ２はエミッタが接地され、ベースが抵抗Ｒ１１の一端に接続され、コレクタが第４のトランジスタＭＡ２のゲートに接続されている。また、上述した抵抗Ｒ１１の他端は制御ユニット２０のＩＯＡ１の端子に接続され、第４のトランジスタＭＡ２のドレインは抵抗Ｒ１２の一端に接続されると共に、ＶＣＣがかかる。また、抵抗Ｒ１２の他端は第４のトランジスタＭＡ２のゲートに接続されている。また、第４のトランジスタＭＡ２のソースは第２のインターフェース１２の＋端子に接続されている。
【００４６】
これにより、制御ユニット２０が温度検知信号に基づいて電源装置３の温度が正常であると判断したとき、ＩＯＡ１の端子を介して第３のトランジスタＱ２にハイの信号を出力し、第３のトランジスタＱ２及び第４のトランジスタＭＡ２を導通（オン）させ、電源装置５の設定電圧ＶＣＣは第４のトランジスタＭＡ２を介して第２のインターフェース１２に出力され、電気機器３に給電される。制御ユニット２０は温度検知信号に基づいて電源装置３の温度が異常であると判断したとき、ＩＯＡ１の端子を介して第３のトランジスタＱ２のベースにロウの信号を出力し、第３のトランジスタＱ２及び第４のトランジスタＭＡ２は非導通（オフ）となる。電源装置５の設定電圧ＶＣＣは、第４のトランジスタＭＡ２を介して第２のインターフェース１２に出力されず、電気機器３への給電が停止される。これにより、安全性が高まる。
【００４７】
（第２の実施例）
図６は本発明のアクセス装置１の第２の実施例を示す。上述した第１の実施例と同様に、本実施例の処理回路１０’も制御ユニット２０、電圧調節回路２１、切換回路２３、スイッチ回路２４を備える。制御ユニット２０は提示モジュール１３、温度検知モジュール１４、電圧検知モジュール１５、電圧調節回路２１、切換回路２３、及びスイッチ回路２４に電気的に接続されている。本実施例と上述した第１の実施例の間で異なる点としては、アクセスモジュール２２’の構成及び処理回路１０’が、制御ユニット２０と電気的に接続されたウェイクアップモジュール１６を更に備えることである。
【００４８】
本実施例のアクセスモジュール２２’は、型番がＥ３５７（中国ファーウェイ・テクノロジーズ 社製）の駆動制御器２２１の積層回路であり、駆動制御器２２１の端子Ｖ２に抵抗Ｒ２の一端を接続し、端子Ｖ３に抵抗Ｒ３の一端を接続し、これら抵抗Ｒ２、Ｒ３の他端を接地させ、９Ｖの第１の設定電圧を得られるようにしたものであり、駆動制御器２２１は抵抗Ｒ３にのみ接続させることにより、１２Ｖの電圧からなる第２の設定電圧を得られるようにしても良い。
【００４９】
換言すると、本実施例において、切換回路２３はハイレベル（すなわち＋５Ｖ）に切り換えられて第１の設定信号を制御ユニット２０に出力する。制御ユニット２０は、アクセスモジュール２２’が取得する電源装置５からの第１の設定電圧（９Ｖ）を確定する。
【００５０】
このため、アクセスモジュール２２’が電源装置５の第１の設定電圧（９Ｖ）を取得できるようさせるため、抵抗Ｒ２及び抵抗Ｒ３をそれぞれ駆動制御器２２１のＶ２、Ｖ３の端子に接続し、駆動制御器２２１は、これに基づいて、第１のインターフェース１１を介して第１の電圧信号を電源装置５に出力し、駆動制御器２２１のＤＭの端子は０．６Ｖを第１のインターフェース１１のＤ−端子に出力し、駆動制御器２２１のＤＰ端子は第１のインターフェース１１のＤ＋端子に３．３Ｖを出力する。
【００５１】
ＱＣ２．０の急速充電規格に基づけば、電源装置５は第１のインターフェース１１を介して第１の電圧信号が入力されたとき（即ち、インターフェース１１のＤ−端子に０．６Ｖの電圧が入力され、Ｄ＋端子に０．６Ｖの電圧が入力されたとき）、電源装置５は第１の設定電圧（９Ｖ）を第１のインターフェース１１に対応するように出力し、第１の設定電圧（ＶＣＣ）をスイッチ回路２４に入力させ、スイッチ回路２４を介して第２のインターフェース１２に出力して電気機器３に供給する。このため、このような状況下では、本実施例のアクセス装置１は設定電圧（９Ｖ）のみを第１の設定電圧を必要とする電気機器３に供給できる。
【００５２】
切換回路２３は第２の端子と第１の端子が接続されてグランド電位となり、第２の設定信号を制御ユニット２０に出力したとき、制御ユニット２０は、アクセスモジュール２２’が取得する電源装置５からの第２の設定電圧（１２Ｖ）を確定する。
【００５３】
このため、アクセスモジュール２２’は、電源装置５が第２の設定電圧（１２Ｖ）を取得できるようにするため、抵抗Ｒ３を駆動制御器２２１のＶ３の端子にのみ接続し、駆動制御器２２１に、これに基づいて、第２の電圧信号を電源装置５に出力させ、駆動制御器２２１のＤＭ端子及びＤＰ端子にもそれぞれ０．６Ｖを出力させて、第１のインターフェース１１のＤ−端子及びＤ＋端子に入力する。
【００５４】
ＱＣ２．０急速充電規格に基づけば、電源装置５が第１のインターフェース１１を介して送られてきた第２の電圧信号を受信したとき、電源装置５は第２の設定電圧（１２Ｖ）を第１のインターフェース１１に対応するように出力し、第２の設定電圧（ＶＣＣ）をスイッチ回路２４に出力させ、スイッチ回路２４を介して第２のインターフェース１２に出力して電気機器３に供給する。このため、本実施例のアクセス装置１は、第２の設定電圧（１２Ｖ）を第２の設定電圧を必要とする電気機器３に出力する。
【００５５】
なお、従来より使われた携帯電源は、携帯電話の充電電池の充電が終わると、一般的に８秒から１５秒後にスリープモードとなって、携帯電源の電力の消費を回避すると共に、充電電池の過充電等の危険を防止できるものである。もし再度使用するときは、改めて抜き差しして、携帯電源を再度給電させる。このため、携帯電源がスリープモードのとき、改めて使用しようとする場合には、スリープモードから抜け出すため、先ず抜き差しする動作をしなければ携帯電源が作動しないので、不便であり、たとえ改めて携帯電源を抜き差ししても、概ね８秒から１５秒以内に電気機器３の電源のスイッチを入れて携帯電源からの電源供給を始めることができないとき、若しくは電気機器３の電源のスイッチを入れ忘れたときは、携帯電源は再びスリープモードとなってしまうため、再度携帯電源を抜き差しせねばならず、利用者にとっても不便である。
【００５６】
これに対して、電源装置５がスリープモードに入るのを避けるため、本実施例の処理回路１０’は制御ユニット２０と電気的に接続されたウェイクアップモジュール１６を備える。ウェイクアップモジュール１６は一端に制御ユニット２０のＩＯＢ２端子が接続された第１の抵抗Ｒ１０を備え、トランジスタＱ２０は、ベースが上述した第１の抵抗Ｒ１０の一端に接続され、エミッタが接地され、コレクタは後述する第２の抵抗Ｒ１１の他端に接続されている。また、トランジスタＭＡ２０は、ゲートが上述した第１のトランジスタのコレクタ及び抵抗Ｒ１１の他端に接続され、ドレインは第２の抵抗Ｒ１１の一端に接続されると共にＶＣＣがかかり、ソースは第３の抵抗Ｒ１２を介して接地されている。
【００５７】
制御ユニット２０は電源装置５が設定電圧ＶＣＣを出力する期間に、所定の時間（例えば８秒）毎にＩＯＢ２の端子を介してウェイクアップモジュール１６のトランジスタＱ２０及びトランジスタＭＡ２０を一時的に導通させる。例えば、導通させる期間は０．１秒間であり、電源装置５が出力する設定電圧ＶＣＣは第３の抵抗Ｒ１２を介して所定の電流を接地された線路に流す。ここで電流の電流値は例えば１００ｍＡである。電源装置５に継続して設定電圧ＶＣＣを出力させてスリープモードに入らないようにできる。
【００５８】
また、本実施例は電源装置５がスリープモードに入ることを防止するその他の方法は、第１のインターフェース１１の５Ｖの端子と接地端子（ＧＮＤ）の間に抵抗Ｒ１を接続し、電源装置５が出力する設定電圧ＶＣＣをかけて、抵抗Ｒ１を介した導電経路に継続して電流を流し、電源装置５は設定電圧ＶＣＣを継続して出力し、スリープモードに入らせないことである。
【００５９】
このため、電気機器３がたとえ電気を必要としない状態でも、電源装置５はなおも給電状態を維持してスリープ状態に入らない。このため、電気機器３は再びアクセス装置１から電力をキャプチャするとき、電源装置５は直ちに設定電圧ＶＣＣを電気機器３に供給でき、電源装置５を抜き差しせずとも、電源装置５は改めて給電を開始できる。
【００６０】
図６と図７を参照しながら、本実施例の操作のフローチャートを説明する。ステップＳ１０１において、使用者はアクセス装置を電源装置５に電気的に接続し、ステップＳ１０２では、処理回路１０’の制御ユニット２０は、切換回路２３が出力する第１の設定信号或いは第２の設定信号に基づいて、アクセスモジュール２２’が電源装置５から取得する第１の設定電圧（９Ｖ）若しくは第２の設定電圧（１２Ｖ）を確定する。
【００６１】
その後に、ステップＳ１０３では、アクセス装置１の制御ユニット２０が提示モジュール１３の発光ダイオードを点滅させる。その後、ステップＳ１０４では、制御ユニット２０が電圧検知モジュール１５からの電圧検知信号に基づいて、電源装置５が出力した設定電圧ＶＣＣが９Ｖに設定されているか１２Ｖに設定されているか判断する
その後、ステップＳ１０５で、制御ユニット２０が電源装置５が出力する設定電圧ＶＣＣが安全範囲内であるか否か検出し、実施例において、設定電圧が９Ｖ（第１の設定電圧）であるとき、その安全範囲は８．５Ｖ〜９．５Ｖの間であり、設定電圧が１２Ｖ（第２の設定電圧）のとき、その安全範囲は１１．５Ｖ〜１２．５Ｖの間である。
【００６２】
電源装置５が出力する設定電圧ＶＣＣが安全範囲内である場合には、ステップＳ１０６で、制御ユニット２０が提示モジュール１３の発光ダイオードを点灯させる。スイッチ回路２４に設定電圧ＶＣＣを第２のインターフェース１２に出力させ、電気機器３に給電させることができる。
【００６３】
ステップＳ１０７は、制御ユニット２０が電源装置５がスリープモードに入ることを防止できる。ステップＳ１０８では、制御ユニット２０は、温度検出モジュール１４からの温度検知信号に基づいて、電源装置５の温度が安全範囲を超えたか否かを判断する。本実施例の安全範囲は摂氏５０度である。
【００６４】
もし摂氏５０度を超えていなければ、制御ユニット２０はステップＳ１０６を実行し、提示モジュール１３の発光ダイオードを点灯させ、スイッチ回路２４に設定電圧ＶＣＣを正常に出力させる。温度が摂氏５０度を超えていると判断した場合には、電源装置５は異常状況が発生した旨を表示するべく、ステップＳ１０９において、制御ユニット２０により、提示モジュール１３に発光ダイオードを継続して点滅させて使用者に注意を喚起する。スイッチ回路２４は設定電圧ＶＣＣを第２のインターフェース１２に出力するのを停止し、電気機器３への給電を停止させる。
【００６５】
（第３の実施例）
図８を参照して、本発明のアクセス装置の第３の実施例を説明する。第１乃至第２の実施例と同一の構成については、同一の符号を付して詳細な説明を省略する。ただし、数字の符号が振られていない図８における回路素子（例えばコンデンサＣ２）については、他の実施例でも同一の符号を使用済みだが、異なる接続関係となっているので、図８でも改めて説明する。
【００６６】
まず、上述した実施例と異なる点について説明する。図８の第１のインターフェース１１は機能的には他の実施例と同様だが、接続されている素子が異なるので説明する。端子Ｄ−には抵抗Ｒ３を介して信号ＤＭＨが入力される。信号ＤＭＨはマイクロプロセッサ７１のＰ１７／ＣＬＫの端子から出力されている。同様に、マイクロプロセッサ７１から出力されたＤＭＬの信号は抵抗Ｒ１を介して端子Ｄ−に入力されている。更に、マイクロプロセッサ７１のＰ３１の端子から出力されたＤＰＨの信号は抵抗Ｒ６を介して端子Ｄ＋に入力されている。
【００６７】
端子Ｐ３０から出力された信号ＤＰＬは抵抗Ｒ４を介して端子Ｄ＋に入力されている。抵抗Ｒ２の一端はマイクロプロセッサ７１のＲＥＳＴ端子に接続され、他端は＋３．３Ｖがかかり、且つ、他端が接地されたコンデンサＣ１の一端に直列に接続されている。抵抗Ｒ７は一端がマイクロプロセッサ７１の端子Ｐ１２に接続され、他端が＋３．３Ｖがかかる。また、抵抗Ｒ７の一端は抵抗Ｒ８を介して接地されている。なお、切換回路２３はこの抵抗Ｒ８の一端に接続されている。
【００６８】
本実施例のアクセス装置１も図４の第１のインターフェース１１、第２のインターフェース１２、提示モジュール１３、温度検知モジュール１４、電圧検知モジュール１５及び図６（第２の実施例）のウェイクアップモジュール１６を備える。
【００６９】
これらの機能は、他の実施例と同様であるが、電圧検知モジュール１５は、マイクロプロセッサ７１のＰ０１／ＡＤ０の端子に接続されている。温度検知モジュール１４はＰ０２／ＡＤ１の端子に接続されている。ウェイクアップモジュール１６はＰ０６／ＡＤ５の端子に接続されている。スイッチ回路２４はＰ０７／ＡＤ６の端子に接続されている。マイクロプロセッサ７１のＶＤＤには＋３．３Ｖが入力されていると共に、コンデンサＣ２を介して接地されている。
【００７０】
本実施例の処理回路１０’’は図４の電圧調節回路２１’、切換回路２３及びスイッチ回路２４を備え、第２の実施例と異なるところは、本実施例はマイクロプロセッサ７１が第１の実施例の制御ユニット２０及びアクセスモジュール２２の機能を兼ね備えることである。
【００７１】
また、処理回路１０’’はマイクロプロセッサ７１と電気的に接続された記録インターフェース７２を備える。更に、処理回路１０’’は、マイクロプロセッサ７１と第１のインターフェース１１の間で電気的に接続された選択回路７３１を備える。なお、選択回路７３１は図８に示すとおり、抵抗Ｒ１、抵抗Ｒ３、抵抗４、及び抵抗Ｒ６を備え、並列に接続された抵抗Ｒ１と抵抗Ｒ３が第１のインターフェース１１におけるＤ−端子に接続されると共に、並列に接続された抵抗Ｒ４と抵抗Ｒ６が第１のインターフェース１１におけるＤ＋端子に接続される。また、処理回路１０’’は、選択回路７３１と第１のインターフェース１１の間で電気的に接続されたダイオード７３２を備える。このダイオード７３２は第１のインターフェース１１に逆流するのを防止する。
【００７２】
ダイオード７３２はダイオードＤ１とＤ２からなり、いずれもアノードが接地され、ダイオードＤ１のカソードは信号ＤＰとして第１のインターフェース１１のＤ＋端子に入力される。ダイオードＤ２のカソードＤＭはＤ−端子に接続されている。このように接続したので、第１のインターフェース１１経由でＤ＋端子、Ｄ−端子を介して、電圧サージが生ずることを防止することができ、これらの端子に接続されたマイクロプロセッサ７１を保護できる。
【００７３】
また、処理回路１０’’において電圧を調整する抵抗として機能する三端子レギュレータのＬＸ端子は抵抗Ｒ５を介してＶＣＣがかかり、出力端子（給電端子）ＶＯＵＴは、一端に３．３Ｖの電圧が出力されるよう並列に接続されたコンデンサＣ４及びＣ５に接続されており、これらコンデンサＣ４、Ｃ５及び上述したコンデンサＣ３の他端、並びに三端子レギュレータのＧＮＤ端子は接地されている。
【００７４】
記録インターフェース７２は、外部のホストコンピューター（図示せず）と電気的に接続することができ、外部のホストコンピューターの命令に基づいて、記録インターフェース７２を介してマイクロプロセッサ７１はデータを書き込む。即ち、外部のホストコンピューターからのデータが記録インターフェース７２を介してマイクロプロセッサ７１の図示しない記憶部に書き込まれる。なお、記録インターフェース７２の端子１〜端子５は、以下の通り接続されている。端子１は接地され、端子２は信号ＤＭＬとして抵抗Ｒ１に入力され、端子３は＋３．３Ｖの電圧がかかり、端子４からは信号ＤＭＨが出力され、抵抗Ｒ３に入力され、端子５からは信号ＲＳＴが出力されている。
【００７５】
本実施例において、マイクロプロセッサ７１は、切換回路２３が生成する第１の設定信号（例えば切換回路２３は５Ｖの電圧が入力されるように切り換えられる）に基づいて、選択回路７３１に第１のインターフェース１１へ出力する第１の電圧信号を生成させ、選択回路７３１が生成する０．６Ｖの電圧を第１のインターフェース１１のＤ−端子に出力し、３．３Ｖの電圧を生成して第１のインターフェース１１のＤ＋端子に出力する。
【００７６】
ＱＣ２．０急速充電規格に基づけば、電源装置５が第１のインターフェース１１からの第１の電圧信号を受信したとき、第１の設定電圧ＶＣＣ（９Ｖ）を第１のインターフェース１１に対応するように出力し、第１の設定電圧ＶＣＣはスイッチ回路２４を介して第２のインターフェース１２に出力され、電気機器３に出力される。
【００７７】
切換回路２３が第２の設定信号（切換回路２３を接地に切り換える）を生成するとき、マイクロプロセッサ７１は、選択回路７３１が生成する第２の電圧信号を第１のインターフェース１１に出力し、選択回路７３１は０．６Ｖを出力して第１のインターフェース１１のＤ−端子に出力し、０．６Ｖの電圧を第１のインターフェース１１のＤ＋端子に出力する。
【００７８】
ＱＣ２．０急速充電規格に基づけば、電源装置５は第１のインターフェース１１からの第２の電圧信号（即ち第１のインターフェース１１のＤ−端子からの０．６Ｖの電圧、Ｄ＋端子からの０．６Ｖの電圧）に基づいて、第２の設定電圧ＶＣＣ（１２Ｖ）を第１のインターフェース１１に対応させて出力し、第２の設定電圧ＶＣＣをスイッチ回路２４を介して第２のインターフェース１２に出力して電気機器３に入力する。
【００７９】
このため、本実施例のアクセス装置１は切換回路２３を操作することにより、切換回路２３は、電源装置５に第１の設定電圧（９Ｖ）或いは第２の設定電圧（１２Ｖ）を対応して出力させるように制御できる。
【００８０】
以上説明したように、本発明は以下の優れた効果を有する。使用者は急速充電規格に適合した電源装置５及び電気機器３を、アクセス装置１の第１のインターフェース１１及び第２のインターフェース１２にそれぞれ電気的に接続すれば、アクセス装置１は異なる電圧の電気機器３に対応させて使用することができる。
【００８１】
第１の電熱装置３１及び第２の電熱装置３２のように、電源装置５は適合する電力を電気機器３へ要求に応じて出力し、異なる電力を必要とする電気機器３は本発明のアクセス装置１を介して電源装置５が提供する電力を使用することができ、アクセス装置１は電圧異常提示及び電源装置５の温度異常時に給電等を中断する機能と相俟って、全体として安全性が高く、本発明の目的を達成し得る。
【００８２】
上述の内容は本発明の実施例の例示に過ぎず、これらの内容に基づいて本発明の実施例の範囲を限定するものではなく、実施例の内容に簡単な付加、削除、変更等を加えたものについても、本発明の特許請求の範囲の均等の範囲に入るものとする。
【符号の説明】
【００８３】
１      アクセス装置
１０、１０’、１０ ”      処理回路
１００    受信システム
１１      第１のインターフェース
１２      第２のインターフェース
１３      提示モジュール
１４      温度検知モジュール
１５      電圧検知モジュール
１６      ウェイクアップモジュール
２０      制御ユニット
２１、２１’    電圧調節回路
２２、２２’      受信回路
２２１    駆動制御器
２３      切換回路
２４      スイッチ回路
３        電気機器
３１      第１の電熱装置
３２      第2の電熱装置
５        電源装置
５１      電源変換器
５２      充電電池装置
６１      定電圧生成回路
６２      第１の分圧回路
６３      第２の分圧回路
６４      分圧制御回路
７１      マイクロプロセッサ
７２      記録インターフェース
７３１    選択回路
７３２    反転偏向素子
Ｓ１０１〜Ｓ１０９      ステップ
【図１】
2017191606.tif 000003
【図２】
2017191606.tif 000004
【図３】
2017191606.tif 000005
【図４】
2017191606.tif 000006
【図５】
2017191606.tif 000007
【図６】
2017191606.tif 000008
【図７】
2017191606.tif 000009
【図８】
2017191606.tif 000010